(57)【要約】【課題】電池モジュール支持バーおよび太陽電池モジュールを安定よく支持することができ、強い風雨や地震などにも十分に対抗できる立てはぜ葺屋根への太陽電池モジュールの設置構造を提供する。【解決手段】架台兼屋根板押さえ部材１４は電池モジュール支持バー４を支持する天板１５と、この天板１５の左右両側縁から左右一対の各側板１６を折り下げて形成する。架台兼屋根板押え部材１４ははぜ吊子２および屋根板１，１の左右の両立上り連結縁６に亘ってその上から覆い被せるとともに、架台兼屋根板押え部材１４の天板１５をはぜ吊子２のトップ部１２に第２のビス２６で固定して、左右の各側板１６の下端に設けた屋根板押さえ部１６ａで屋根板１，１をこれの上方から押さえ付ける。【選択図】図１
2012102544.tif 000002
【特許請求の範囲】
【請求項１】
複数の金属製の屋根板（１）をはぜ吊子（２）を介して連結した立てはぜ葺屋根（３）のはぜ吊子（２）の上に、はぜ吊子（２）の長手方向と直交する複数の電池モジュール支持バー（４）をはぜ吊子（２）の長手方向に所定間隔置きに配備し、隣り合う電池モジュール支持バー（４）（４）間で太陽電池モジュール（５）を支持するようにした立てはぜ葺屋根への太陽電池モジュールの設置構造において、
屋根板（１）には、その左右の各側縁を折り上げて左右の各立上り連結縁（６）を形成し、この立上り連結縁（６）の上端側に被係留部（７）を形成しており、
はぜ吊子（２）は屋根下地（２３）に第１のビス（２４）で固定されるベース部（９）を形成するとともに、このベース部（９）から起立部（１０）を立ち上げ、この起立部（１０）の上端側に左右一対の係留部（１１）を断面傘形状に形成し、係留部（１１）より上方にトップ部（１２）を形成しており、
はぜ吊子（２）のトップ部（１２）には軒棟方向に延びる金属製の架台兼屋根板押さえ部材（１４）を取付け、この架台兼屋根板押さえ部材（１４）は電池モジュール支持バー（４）を支持する天板（１５）と、この天板（１５）の左右両側縁から左右一対の各側板（１６）を折り下げて形成しており、
はぜ吊子（２）の左右の各横外側部に左右の両屋根板（１）（１）の各立上り連結縁（６）を配置し、各立上り連結縁（６）の被係留部（７）をはぜ吊子（２）の左右の各係留部（１１）で上から受け止めるように構成しており、
架台兼屋根板押さえ部材（１４）ははぜ吊子（２）および左右の両立上り連結縁（６）に亘ってその上から覆い被せるとともに、天板（１５）をトップ部（１２）に第２のビス（２６）で固定して、左右の各側板（１６）の下端に設けた屋根板押さえ部（１６ａ）で屋根板（１）（１）をこれの上方から押圧接当していることを特徴とする立てはぜ葺屋根への太陽電池モジュールの設置構造。
【請求項２】
架台兼屋根板押さえ部材（１４）の左右の各側板（１６）の屋根板押さえ部（１６ａ）は断面凸円弧状に湾曲形成している、請求項１記載の立てはぜ葺屋根への太陽電池モジュールの設置構造。
【発明の詳細な説明】
【技術分野】
【０００１】
本発明は、立てはぜ葺屋根への太陽電池モジュール（太陽電池パネル）の設置構造に関する。
【背景技術】
【０００２】
従来、立てはぜ葺屋根として、図５に示すように、はぜ吊子３５を屋根下地３６に固定し、左右の両側縁に立上り連結縁３７，３７を有した屋根板３８を屋根下地３６に敷設した後、隣り合う屋根板３８，３８の立上り連結縁３７，３７の各上端の被係留部３９，３９をはぜ吊子３５の上端の左右両側の係留部４０，４０に係止するとともに、はぜ吊子３５の中間高さ部に設けた左右の係止凸条４１，４１に屋根板３８，３８の立上り連結縁３７，３７の中間高さ部に設けた遮水凸条４２，４２を係合する。その後、隣り合う屋根板３８，３８の立上り連結縁３７，３７およびはぜ吊子３５に亘ってキャップ４３をその上から被せ、キャップ４３の左右の各遮水凹条４４を立上り連結縁３７の遮水凸条４２に外嵌固定させるものがある（例えば、特許文献１参照。）。
【０００３】
一方、縦葺き屋根に対する太陽電池モジュールの設置構造として、例えば、図６（ａ）（ｂ）に示すように、瓦棒３０の上に、瓦棒３０の長手方向（軒棟方向）と直交する複数の横架台（電池モジュール支持バー）３１を瓦棒３０の長手方向に所定間隔置きに配備し、隣り合う横架台３１，３１間で太陽電池モジュール３２を支持するようにしたものがある（例えば、特許文献２参照。）。横架台３１にはねじ止めフランジ３３を設け、このねじ止めフランジ３３を瓦棒３０に金属製ねじ３４で固定するようにしてある。
【先行技術文献】
【特許文献】
【０００４】
【特許文献１】特許第３４２３６７１号公報
【特許文献２】特開２００１−２６２８００号公報
【発明の概要】
【発明が解決しようとする課題】
【０００５】
図６に示す上記太陽電池モジュールの設置構造を図５に示す上記立てはぜ葺屋根に適用することが考えられる。こうした場合、図６（ｂ）に示す横架台３１のねじ止めフランジ３３は図５に示すキャップ４３の上に金属製ねじ３４で固定することになる。
【０００６】
しかしながら、かかるキャップ４３では、隣り合う屋根板３８，３８の立上り連結縁３７，３７およびはぜ吊子３５に被せ、該キャップ４３の左右の各遮水凹条４４を、はぜ吊子３５の左右の係止凸条４１，４１に係合した立上り連結縁３７，３７の遮水凸条４２，４２に外嵌固定しているだけであるため、図６の横架台３１、太陽電池モジュール３２の支持力に劣り、不安定になる。特に、そのように立上り連結縁３７の遮水凸条４２に外嵌固定させているだけのキャップ４３は、暴風や台風等の外乱力で屋根板３８およびはぜ吊子３５から外れる虞が大であって、横架台３１、太陽電池モジュール３２の支持機能を全うし難い。
【０００７】
また、上記従来技術では、キャップ４３に金属製ねじ４０で孔をあけることになるが、従来の立てはぜ葺屋根ではこのようなことが全く想定されていないため、この孔から屋根板の裏側（屋内側）に雨水等が侵入するおそれがある。特に、屋根の構造に関する知識の乏しい設置業者に太陽光パネル（太陽電池モジュール）の設置を依頼した場合（太陽光パネルの設置業者には、大きく言って電気関連の業者と屋根専門の業者とがある）、雨仕舞いを全く考慮せずに立てはぜ部分や屋根板部分に孔をあけてしまうことがある。
【０００８】
本発明は、このような問題を解決するためになされたものであり、その目的とするところは、複数の金属製の屋根板をはぜ吊子を介して連結した立てはぜ葺屋根のはぜ吊子の上に、はぜ吊子の長手方向と直交する複数の電池モジュール支持バーをはぜ吊子の長手方向に所定間隔置きに配備し、隣り合う電池モジュール支持バー間で太陽電池モジュールを支持するようにした立てはぜ葺屋根への太陽電池モジュールの設置構造において、在来の上記構造の立てはぜ葺屋根のキャップを省略し、これに代えて特殊な架台兼屋根板押さえ部材を採用し、また該架台兼屋根板押さえ部材の吊子への取付け方に工夫を凝らすことにより電池モジュール支持バーおよび太陽電池モジュールを安定よく支持することができ、暴風や台風などにも十分に対抗できる立てはぜ葺屋根への太陽電池モジュールの設置構造を提供することにある。
【課題を解決するための手段】
【０００９】
本発明の立てはぜ葺屋根への太陽電池モジュールの設置構造は、請求項１に記載のように、その発明の内容を理解しやすくするために図１〜４に示す符号を参照して説明すると、複数の金属製の屋根板（１）をはぜ吊子（２）を介して連結した立てはぜ葺屋根（３）のはぜ吊子（２）の上に、はぜ吊子（２）の長手方向と直交する複数の電池モジュール支持バー（４）をはぜ吊子（２）の長手方向に所定間隔置きに配備し、隣り合う電池モジュール支持バー（４）（４）間で太陽電池モジュール（５）を支持するようにした立てはぜ葺屋根への太陽電池モジュールの設置構造において、以下のように構成したことを特徴とする。
すなわち、  屋根板（１）には、その左右の各側縁を折り上げて左右の各立上り連結縁（６）を形成し、この立上り連結縁（６）の上端側に被係留部（７）を形成する。
はぜ吊子（２）は屋根下地（２３）に第１のビス（２４）で固定されるベース部（９）を形成するとともに、このベース部（９）から起立部（１０）を立ち上げ、この起立部（１０）の上端側に左右一対の係留部（１１）を断面傘形状に形成し、係留部（１１）より上方にトップ部（１２）を形成する。
はぜ吊子（２）のトップ部（１２）には軒棟方向に延びる金属製の架台兼屋根板押さえ部材（１４）を取付け、この架台兼屋根板押さえ部材（１４）は電池モジュール支持バー（４）を支持する天板（１５）と、この天板（１５）の左右両側縁から左右一対の各側板（１６）を折り下げて形成する。
はぜ吊子（２）の左右の各横外側部に左右の両屋根板（１）（１）の各立上り連結縁（６）を配置し、各立上り連結縁（６）の被係留部（７）をはぜ吊子（２）の左右の各係留部（１１）で上から受け止めるように構成する。
そして、架台兼屋根板押さえ部材（１４）ははぜ吊子（２）および左右の両立上り連結縁（６）に亘ってその上から覆い被せるとともに、天板（１５）をトップ部（１２）に第２のビス（２６）で固定して、左右の各側板（１６）の下端に設けた屋根板押さえ部（１６ａ）で屋根板（１）（１）をこれの上方から押圧接当したものである。
【００１０】
上記の構成によると、架台兼屋根板押さえ部材（１４）の天板（１５）を直接はぜ吊子（２）のトップ部（１２）に第２のビス（２６）で締め付け固定することにより、暴風や台風等で架台兼屋根板押さえ部材（１４）が屋根板（１）およびはぜ吊子（２）から外れるのを確実に防止することができる。このため、架台兼屋根板押さえ部材（１４）によって電池モジュール支持バー（４）および太陽電池モジュール（５）を安定よく確実に支持することができる。
【００１１】
また、架台兼屋根板押さえ部材（１４）の左右の各側板（１６）の下端に設けた屋根板押さえ部（１６ａ）を屋根板（１）（１）上に押圧接当させているため、架台兼屋根板押さえ部材（１４）を屋根板（１）（１）上に安定良く定置固定できる。これにより、架台兼屋根板押さえ部材（１４）で電池モジュール支持バー（４）および太陽電池モジュール（５）をさらに一層安定良く支持することができる。
【００１２】
他方、架台兼屋根板押さえ部材（１４）の左右の各側板（１６）の下端に設けた屋根板押さえ部（１６ａ）で屋根板（１）（１）をこれの上方から強く押圧接当することにより屋根板（１）（１）を強固に固定しているので、強風等によって屋根板（１）（１）が外れる心配がなく、別途キャップ等によって屋根板（１）（１）をはぜ吊子（２）に固定する必要がない。これにより、本発明の架台兼屋根板押さえ部材（１４）は、電池モジュール支持バー（４）および太陽電池モジュール（５）を支持するための架台と、屋根板（１）（１）を固定するための屋根板押さえ部材とを兼ねることになる。
【００１３】
さらに、屋根板押さえ部（１６ａ）で屋根板（１）（１）をこれの上方から強く押圧接当しているので、暴風雨や台風などの風雨が強く吹き付けられるときも風雨が屋根板押さえ部（１６ａ）と屋根板（１）との間から侵入するのを防止できる。
仮に、屋根板押さえ部（１６ａ）と屋根板（１）の間から雨水が侵入したとしても、屋根板（１）の立上り連結縁（６）の被係留部（７）をはぜ吊子（２）の左右の係留部（１１）で上から受け止めるように構成しているため、被係留部（７）が係留部（１１）によって遮蔽され、雨水が屋根板（１）の裏側（屋内側）に侵入するのを防止することができる。
【００１４】
さらに、はぜ吊子（２）の起立部（１０）の上端側に左右一対の係留部（１１）を断面傘形状に形成するので、架台兼屋根板押さえ部材（１４）の天板（１５）およびはぜ吊子（２）のトップ部（１２）とこれらに挿通される第２のビス（２６）との間の隙間から雨水が侵入しても、この雨水を断面傘形状の左右一対の係留部（１１）で左右の屋根板（１）（１）の両立上り連結縁（６）（６）と架台兼屋根板押さえ部材（１４）の左右の側板（１６）（１６）との間の下方へ向けて垂れ流すことができるため、左右の屋根板の両立上り連結縁（６）（６）同士間に雨水が侵入するのを防止できて屋根裏への雨漏りを防止できる。
【００１５】
請求項１に記載の立てはぜ葺屋根への太陽電池モジュールの設置構造は、請求項２に記載のように、架台兼屋根板押さえ部材（１４）の左右の各側板（１６）の屋根板押さえ部（１６ａ）は断面凸円弧状に湾曲形成していることに特徴を有するものである。
【００１６】
これにより、屋根板押さえ部（１６ａ）と屋根板（１）の接触面積を小さくすることができるため、屋根板（１）と屋根板押さえ部（１６ａ）との接触間に雨水が停滞するのをよく抑えることができ、異なる金属製の屋根板（１）と屋根板押さえ部（１６ａ）との接触間で電蝕が発生するのを防止することができる。
【発明の効果】
【００１７】
本発明の立てはぜ葺屋根への太陽電池モジュールの設置構造は、隣り合う屋根板（１）（１）の立上り連結縁（６）（６）同士間への雨水侵入を防止する機能と、屋根板（１）（１）を押さえる機能を兼備するのみならず、電池モジュール支持バー（４）および太陽電池モジュール（５）を安定よく支持することができ、暴風や台風などにも十分に対抗できるという利点がある。
【図面の簡単な説明】
【００１８】
【図１】本発明の一実施例を示す立てはぜ葺屋根への太陽電池モジュールの設置構造の縦断正面図である。
【図２】図１における一部拡大図である
【図３】図１におけるＡ−Ａ線断面図である。
【図４】他の実施例の立てはぜ葺屋根への太陽電池モジュールの設置構造を図１に相応して示す縦断正面図である。
【図５】従来例の立てはぜ葺屋根構造の断面図である。
【図６】他の従来例の縦葺き屋根への太陽電池モジュールの設置構造を示し、（ａ）はその斜視図、（ｂ）はその断面図である。
【発明を実施するための形態】
【００１９】
以下、本発明の立てはぜ葺屋根への太陽電池モジュールの設置構造の実施の形態を、図面に基き説明する。
【００２０】
図１〜図３において、この立てはぜ葺屋根への太陽電池モジュールの設置構造は、複数の鋼板など金属製の屋根板１をはぜ吊子２を介して連結した立てはぜ葺屋根３のはぜ吊子２の上に、はぜ吊子２の長手方向（軒棟方向・屋根傾斜方向）と直交する複数の電池モジュール支持バー４をはぜ吊子２の長手方向に所定間隔置きに配備し、隣り合う電池モジュール支持バー４，４間で太陽電池モジュール５を支持するようにしたものである。
【００２１】
図１、図２に示すように、屋根板１には、屋根板本体１ａの左右の各側縁を折り上げて左右の各立上り連結縁６を形成するとともに、この立上り連結縁６の上端縁を屋根板本体１ａ側へ折り返し、この折り返し部分（はぜ）で被係留部７を形成する。立上り連結縁６の中間高さ部には遮水凸条８を屋根板本体１ａ側へ膨出させて形成する。
【００２２】
図１〜図３に示すように、はぜ吊子２はアルミニューム合金を押出成形して得る型材などからなる金属製のものであって、木毛セメント板など野地板２１および母屋２２などの屋根下地２３にセルフドリルビスなど第１のビス２４で固定され軒棟方向に延びる形のベース部９と、このベース部９の左右方向中央部から軒棟方向に延びる形の起立部１０を垂直に立ち上げ、この起立部１０の上端側に軒棟方向に延びる左右一対の係留部１１を断面傘形状に形成し、係留部１１より更に上方部位（ベース部９の頂部）に軒棟方向に延びるトップ部１２を断面一文字形状に形成する。トップ部１２は、はぜ吊子２の長手方向に亘って一連に形成されている。これにより、後述する第２のビス２６を設ける場所（したがって架台兼屋根板押さえ部材１４を固定する場所）の制約を受けないという利点がある。起立部１０の係留部１１より下方部位には軒棟方向に延びる左右一対の各係止凸条１３を横外側へ向けて突設する。なお、はぜ吊子２には軒棟方向に長尺の通し吊子、あるいは短尺の部分吊子が用いられる。
【００２３】
そして軒棟方向に延びる長尺の架台兼屋根板押さえ部材１４を用意する。この架台兼屋根板押さえ部材１４はアルミニューム合金を押出成形して得る型材などからなる金属製のものであって、天板１５と、この天板１５の左右両側縁から折り下げて断面くの字形状に形成する左右一対の側板１６とを有する断面逆溝形状に形成している。左右の各側板１６の下端には屋根板押さえ部１６ａを形成している。側板１６は、さらに具体的には、天板１５の左右両側縁から下方拡がり状に傾斜する傾斜部と、ほぼ真下に垂下する垂下部とを有し、この垂下部の下端に屋根板押さえ部１６ａが形成されている。天板１５は、はぜ吊子２のトップ部１２の幅にほぼ合致する幅を有している。
【００２４】
上記はぜ吊子２の左右一対の各係止凸条１３と、屋根板１の左右の立上り連結縁６の各遮水凸条８の各断面形状は、それぞれ横外向きの鋭角の三角形状に形成する。その各係止凸条１３の斜め上向き斜面１３ａと斜め下向き斜面１３ｂとの両方に、各遮水凸条８の斜め上向き斜辺８ａと斜め下向き斜辺８ｂとの両方を面接当させるようにしている。これにより屋根板１の左右の立上り連結縁６の各遮水凸条８の斜め上向き斜辺８ａと斜め下向き斜辺８ｂとは変形しないように嵌合固定されることになる。
【００２５】
図３に示すように、電池モジュール支持バー４は全体を断面ハット形状に形成して太陽電池モジュール５の周枠５ａを受け止める一対の周枠受け部４ａ，４ａと、一対のねじ止めフランジ４ｂ，４ｂを設けている。ねじ止めフランジ４ｂは架台兼屋根板押さえ部材１４の天板１５の上に直交状に載置し、止めねじ１７で固定するようしてある。電池モジュール支持バー４は、太陽電池モジュール５を支持するにあたって、モジュール押さえ部材１８、硬質ゴム１９および押さえねじ２０を併用する。モジュール押さえ部材１８は、一対の係止部１８ａ，１８ａを有する断面溝形状に形成され、電池モジュール支持バー４の上に硬質ゴム１９を介して載置されて押さえねじ２０で固定されるとともに、係止部１８ａ，１８ａを隣り合う太陽電池モジュール５の周枠５ａの溝部５ｂに嵌合するようにしてある。
【００２６】
立てはぜ葺屋根３の施工に際しては、はぜ吊子２を屋根下地２３に第１のビス２４で固定し、このはぜ吊子２の左右の各横外側部に、野地板２１上に防水シートＳを介して敷設する左右の両屋根板１，１の各立上り連結縁６を配置する。各立上り連結縁６の被係留部７をはぜ吊子２の左右の各係留部１１で上から受け止める。
【００２７】
そして、はぜ吊子２および屋根板１，１の立上り連結縁６，６に亘って架台兼屋根板押さえ部材１４をこれの左右の側板１６，１６が立上り連結縁６，６を覆うようにその上方から覆い被せるとともに、架台兼屋根板押さえ部材１４の天板１５をはぜ吊子２のトップ部１２にセルフドリルビス等の第２のビス２６で締め付け固定する。この締め付けにより、架台兼屋根板押さえ部材１４の左右の各側板１６の下端に設けた屋根板押さえ部１６ａが屋根板１，１をこれの上方から押圧して該屋根板１，１の上面に接当することになる。屋根板１，１は、この架台兼屋根板押さえ部材１４の押圧接当により野地板２１等の屋根下地２３上に強固に固定されることになる。
【００２８】
次に、架台兼屋根板押さえ部材１４の天板１５の上に電池モジュール支持バー４を直交状に載置し、ねじ止めフランジ４ｂを止めねじ１７で固定する。電池モジュール支持バー４の一対の周枠受け部４ａ上に隣り合う太陽電池モジュール５の周枠５ａをそれぞれ載置し、モジュール押さえ部材１８を電池モジュール支持バー４の上に硬質ゴム１９を介して載置して係止部１８ａ，１８ａを隣り合う太陽電池モジュール５の周枠５ａの溝部５ｂに嵌合係止する。かくして押さえねじ２０でモジュール押さえ部材１８を硬質ゴム１９ごと電池モジュール支持バー４に固定する。
【００２９】
上記のように、架台兼屋根板押さえ部材１４はこれの天板１５をはぜ吊子２のトップ部１２に第２のビス２６で締め付け固定することにより、暴風や台風等で架台兼屋根板押さえ部材１４が屋根板１およびはぜ吊子２から外れるのを確実に防止できるため、架台兼屋根板押さえ部材１４による電池モジュール支持バー４および太陽電池モジュール５の支持機能を十分に果たすことができる。
【００３０】
また、架台兼屋根板押さえ部材１４の天板１５ははぜ吊子２のトップ部１２に第２のビス２６で締め付け固定することにより、架台兼屋根板押さえ部材１４の左右の各側板２６の下端に設けた屋根板押さえ部１６ａで屋根板１，１をこれの上方から強く押さえ付けることができる。これにより架台兼屋根板押さえ部材１４を屋根板１，１およびはぜ吊子２に対し安定良く定置固定でき、この架台兼屋根板押さえ部材１４により電池モジュール支持バー４および太陽電池モジュール５をより一層安定良く確実に支持することができる。
【００３１】
さらに、架台兼屋根板押さえ部材１４の左右の各側板１６の下端に設けた屋根板押さえ部１６ａが屋根板１，１をこれの上方から強く押圧接当することにより、暴風雨や台風などの風雨が強く吹き付けられるときも風雨が屋根板押さえ部１６ａと屋根板１との間から侵入するのを防止できるとともに、強風から生ずる負圧で屋根板１が浮き上がって引き剥がされるのを確実に防止できる。したがって、別途キャップ等によって屋根板１，１をはぜ吊子２に固定しておく必要がない。架台兼屋根板押さえ部材１４は、かかるキャップによる屋根板固定機能を兼備しているものである。
【００３２】
他方、屋根板押さえ部１６ａで屋根板１，１をこれの上方から強く押圧接当しているので、暴風雨や台風などの風雨が強く吹き付けられるときも風雨が屋根板押さえ部１６ａと屋根板１との間から侵入するのを防止できる。
仮に、屋根板押さえ部１６ａと屋根板１の間から雨水が侵入したとしても、屋根板１の立上り連結縁６の被係留部７をはぜ吊子２の左右の係留部１１で上から受け止めるように構成しているため、被係留部７が係留部１１によって遮蔽され、雨水が屋根板１の裏側（屋内側）に侵入するのを防止することができる。
【００３３】
さらに、はぜ吊子２の起立部１０の上端側に左右一対の係留部１１を断面傘形状に形成するので、架台兼屋根板押さえ部材１４の天板１５およびはぜ吊子２のトップ部１２とこれらに挿通される第２のビス２６との間の隙間から雨水が侵入しても、この雨水を傘形状の左右一対の係留部１１で左右の屋根板の両立上り連結縁６，６と架台兼屋根板押さえ部材１４の左右の側板１６，１６との間の下方へ向けて垂れ流すことができるため、左右の屋根板の両立上り連結縁６，６同士間に雨水が侵入するのを防止できて屋根裏への雨漏りを防止できる。
【００３４】
架台兼屋根板押さえ部材１４の側板１６と屋根板１と立上り連結縁６とで取り囲まれた内部に、広い緩衝空間２７（図１参照）を形成することができる。これにより屋根板１上の雨水の一部が、たとえ、架台兼屋根板押さえ部材１４の側板１６の下端の屋根板押さえ部１６ａと屋根板１との間から侵入しても、この侵入雨水は側板１６内の広い緩衝空間２７で失速・落下するため、風雨の強いときでも、雨水が屋根板１，１同士間の連結部から屋根裏へ漏れるのを防止できる。
【００３５】
立上り連結縁６の中間高さ部に遮水凸条８を屋根板本体１ａ側へ膨出させて形成することにより、緩衝空間２７内で失速し、勢いの弱まった侵入水は、立上り連結縁６の遮水凸条８により下方へ跳ね返されるため、緩衝空間２７内を上向きに通過することが殆ど無くなり、屋根板１，１同士間の連結部からの雨漏り防止に貢献する。
【００３６】
図４は、他の実施例に係る立てはぜ葺屋根への太陽電池モジュールの設置構造を示している。図４において、図１〜３に示した実施例と同じ部材には同じ符号を付している。
図４の実施例では、架台兼屋根板押さえ部材１４の左右の各側板１６の屋根板押さえ部１６ａを断面凸円弧状に湾曲する形に形成している。
これにより、屋根板１と屋根板押さえ部１６ａとの接触面積を小さくすることができるため、そこに雨水が停滞するのをよく抑えることができ、異なる金属製の屋根板１と屋根板押さえ部１６ａとの接触間で電蝕が発生するのを防止することができる。
【符号の説明】
【００３７】
１      屋根板
２      はぜ吊子
３      立てはぜ葺屋根
４      電池モジュール支持バー
５      太陽電池モジュール
６      立上り連結縁
７      被係留部
９      ベース部
１０    起立部
１１    係留部
１２    トップ部
１４    架台兼屋根板押さえ部材
１５    天板
１６    側板
１６ａ  屋根板押さえ部
２３    屋根下地
２４    第１のビス
２６    第２のビス
【図１】
2012102544.tif 000003
【図２】
2012102544.tif 000004
【図３】
2012102544.tif 000005
【図４】
2012102544.tif 000006
【図５】
2012102544.tif 000007
【図６】
2012102544.tif 000008